(57)【特許請求の範囲】
【請求項１】
第１のネットワークのネットワークノードによって、前記第１のネットワークおよび第２のネットワークに対して有効なネットワーク識別情報を決定することと、
前記ネットワーク識別情報をユーザ機器に割り当てることと、
前記ネットワーク識別情報を前記第２のネットワークの少なくとも１つのノードと前記ユーザ機器とに提供すること、ただし、前記第１のネットワークと前記第２のネットワークとは、異なる技術に基づく、前記提供することと、
を含み、ここで前記ネットワーク識別情報は、前記ユーザ機器がオフロードのために前記第２のネットワークにアクセスする際に使用する一時的な識別子であり、オフロードのための識別子であると前記第２のネットワークが識別できる形で構築される擬似端末識別子を含む、方法。
【請求項２】
前記第１のネットワークは、無線アクセスネットワークに該当し、前記第２のネットワークは、ワイヤレスローカルエリアネットワークに該当し、
前記擬似端末識別子は、オフロードが許可されていることを表し、及び／又は、オフロードが承認されているかどうかを前記第２のネットワークが検証するために使用される、
請求項１に記載の方法。
【請求項３】
前記ネットワーク識別情報を前記ユーザ機器に前記割り当てることは、前記ユーザ機器が休止後に前記第１のネットワークまたは前記第２のネットワークとアソシエートすると前記識別情報を割り当てることを含む、請求項１または２に記載の方法。
【請求項４】
前記ユーザ機器が前記第１のネットワークおよび前記第２のネットワークからデタッチした後に前記ユーザ機器から前記ネットワーク識別情報を解放することをさらに含む、請求項１〜３のいずれかに記載の方法。
【請求項５】
前記ネットワーク識別情報はルーティング情報を含む、請求項１〜４のいずれかに記載の方法。
【請求項６】
割り当てられたネットワーク識別情報をユーザ機器により受信すること、ただし、前記ネットワーク識別情報は、第１のネットワークから発信され、前記第１のネットワークおよび第２のネットワークに対して有効であり、前記第１のネットワークと前記第２のネットワークとは、異なる技術に基づく、前記受信することと、
前記ユーザ機器によって前記ネットワーク識別情報を前記第２のネットワークに提供することと、
を含み、ここで前記ネットワーク識別情報は一時的な、前記ユーザ機器がオフロードのために前記第２のネットワークにアクセスする際に使用する一時的な識別子であり、オフロードのための識別子であると前記第２のネットワークが識別できる形で構築される擬似端末識別子を含む、方法。
【請求項７】
前記ユーザ機器のネットワークトラフィックが前記第１のネットワークから第２のネットワークにオフロードされるべきであると、前記ユーザ機器によって判断することをさらに含む、請求項６に記載の方法。
【請求項８】
前記ユーザ機器の前記ネットワークトラフィックを前記第２のネットワークにオフロードすることを前記第２のネットワークが承認した後に、前記オフロードすることをさらに含む、請求項６または７に記載の方法。
【請求項９】
前記第１のネットワークは、無線アクセスネットワークに該当し、前記第２のネットワークは、ワイヤレスローカルエリアネットワークに該当すし、
前記擬似端末識別子は、オフロードが許可されていることを表し、及び／又は、オフロードが承認されているかどうかを前記第２のネットワークが検証するために使用される、
請求項６〜８のいずれかに記載の方法。
【請求項１０】
ネットワーク識別情報をネットワークノードにより受信すること、ただし、ユーザ機器が、第１のネットワークとアソシエートしており、前記ネットワークノードは、第２のネットワークのノードに該当し、前記ネットワーク識別情報は、前記第１のネットワークおよび前記第２のネットワークに対して有効であり、前記第１のネットワークと前記第２のネットワークとは、異なる技術に基づく、前記受信すること
を含み、ここで前記ネットワーク識別情報は一時的な、前記ユーザ機器がオフロードのために前記第２のネットワークにアクセスする際に使用する一時的な識別子であり、オフロードのための識別子であると前記第２のネットワークが識別できる形で構築される擬似端末識別子を含む、方法。
【請求項１１】
前記第１のネットワークから前記第２のネットワークにトラフィックをオフロードすることを前記ユーザ機器が承認されているかどうかを判断することをさらに含む、請求項１０に記載の方法。
【請求項１２】
前記ネットワーク識別情報を前記受信することは、ユーザ機器または前記第１のネットワークのノードから前記ネットワーク識別情報を受信することを含む、請求項１０または１１に記載の方法。
【請求項１３】
前記第１のネットワークは、無線アクセスネットワークに該当し、前記第２のネットワークは、ワイヤレスローカルエリアネットワークに該当し、
前記擬似端末識別子は、オフロードが許可されていることを表し、及び／又は、オフロードが承認されているかどうかを前記第２のネットワークが検証するために使用される、
請求項１０〜１２のいずれかに記載の方法。
【請求項１４】
前記ネットワーク識別情報は、ルーティング情報を含み、前記ネットワークは、前記ルーティング情報を抽出する、請求項１０〜１３のいずれかに記載の方法。
【請求項１５】
処理手段及び記憶手段を備える装置であって、前記記憶手段はプログラム命令を格納し、前記プログラム命令は、前記処理手段に実行されると、前記装置に、請求項１から１４のいずれかに記載の方法を遂行させるように構成される、装置。
【請求項１６】
装置の処理手段に実行されると、前記装置に、請求項１から１４のいずれかに記載の方法を遂行させるように構成されるプログラム命令を備える、コンピュータプログラム。
【請求項１７】
第１のネットワークで動作するように構成されるネットワークノードであって、
前記第１のネットワークおよび第２のネットワークに対して有効なネットワーク識別情報を決定する手段と、
前記ネットワーク識別情報をユーザ機器に割り当てる手段と、
前記ネットワーク識別情報を前記第２のネットワークの少なくとも１つのノードと前記ユーザ機器とに提供する手段、ただし、前記第１のネットワークと前記第２のネットワークとは、異なる技術に基づく、前記手段と、
を備え、ここで前記ネットワーク識別情報は一時的な、前記ユーザ機器がオフロードのために前記第２のネットワークにアクセスする際に使用する一時的な識別子であり、オフロードのための識別子であると前記第２のネットワークが識別できる形で構築される擬似端末識別子を含む、ネットワークノード。
【請求項１８】
ユーザ機器であって、
割り当てられたネットワーク識別情報を受信する手段、ただし、前記ネットワーク識別情報は、第１のネットワークから発信され、前記第１のネットワークおよび第２のネットワークに対して有効であり、前記第１のネットワークと前記第２のネットワークとは、異なる技術に基づく、前記受信する手段と、
前記ネットワーク識別情報を前記第２のネットワークに提供する手段と、
を含み、ここで前記ネットワーク識別情報は一時的な、前記ユーザ機器がオフロードのために前記第２のネットワークにアクセスする際に使用する一時的な識別子であり、オフロードのための識別子であると前記第２のネットワークが識別できる形で構築される擬似端末識別子を含む、ユーザ機器。
【請求項１９】
第２のネットワークで動作するように構成されるネットワークノードであって、  ネットワーク識別情報を受信する手段、ただし、ユーザ機器が、第１のネットワークとアソシエートしており、前記ネットワーク識別情報は、前記第１のネットワークおよび前記第２のネットワークに対して有効であり、前記第１のネットワークと前記第２のネットワークとは、異なる技術に基づく、前記受信する手段
を備え、ここで前記ネットワーク識別情報は一時的な、前記ユーザ機器がオフロードのために前記第２のネットワークにアクセスする際に使用する一時的な識別子であり、オフロードのための識別子であると前記第２のネットワークが識別できる形で構築される擬似端末識別子を含む、ネットワークノード。
【発明の詳細な説明】
【分野】
【０００１】
本発明の実施形態は、異種ネットワークにおいて利用され得るユーザ機器の識別情報に関する。
関連技術の説明：
ロングタームエボリューション（ＬＴＥ：Ｌｏｎｇ−ｔｅｒｍ  Ｅｖｏｌｕｔｉｏｎ）標準は、新たな変調／信号処理技術を使用してワイヤレス通信の改善された速度および容量を提供しようとする、ワイヤレス通信のための標準である。この標準は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）により提案されたものであり、従前のネットワーク技術を基礎とする。その当初から、ＬＴＥは、データ通信を伴う多様なコンテキストにおいて広範な展開を経てきた。
【摘要】
【０００２】
第１の実施形態によれば、方法は、第１のネットワークのネットワークノードにより、第１のネットワークおよび第２のネットワークに対して有効であり得るネットワーク識別情報を決定することを含んでもよい。本方法はさらに、ネットワーク識別情報をユーザ機器に割り当てることを含んでもよい。本方法はさらに、第２のネットワークの少なくとも１つのノードとユーザ機器とにネットワーク識別情報を提供することを含んでもよく、第１のネットワークと第２のネットワークとは、異なる技術に基づいてもよい。
【０００３】
第１の実施形態の方法において、ネットワーク識別情報を決定することは、ホームサービスサブスクライバまたは無線アクセスネットワークのノードのうちの１つにより識別情報を決定することを含んでもよい。
【０００４】
第１の実施形態の方法において、第１のネットワークは、無線アクセスネットワークに該当してもよい。第２のネットワークは、ワイヤレスローカルエリアネットワークに該当してもよい。
【０００５】
第１の実施形態の方法において、ネットワーク識別情報は、一時的なオフロード識別子に相当してもよい。
【０００６】
第１の実施形態の方法において、ネットワーク識別情報をユーザ機器に割り当てることは、ユーザ機器が休止後に第１のネットワークまたは第２のネットワークとアソシエートすると識別情報を割り当てることを含んでもよい。
【０００７】
第１の実施形態の方法において、本方法はさらに、ユーザ機器が第１のネットワークおよび第２のネットワークからデタッチした後に、ユーザ機器からネットワーク識別情報を解放することを含んでもよい。
【０００８】
第１の実施形態の方法において、ネットワーク識別情報を第２のネットワークに提供することは、識別情報をｒａｄｉｕｓメッセージに付加することを含んでもよい。
【０００９】
第１の実施形態の方法において、ネットワーク識別情報を決定することは、国際モバイルサブスクライバ識別情報または国際移動局機器識別情報に基づいて識別情報を決定することを含んでもよい。
【００１０】
第１の実施形態の方法において、ネットワーク識別情報は、第２のネットワークまたはユーザ機器により識別されることが可能な形で構築されてもよい。
【００１１】
第１の実施形態の方法において、ネットワーク識別情報は、ルーティング情報を備えてもよい。
【００１２】
第１の実施形態の方法において、ルーティング情報は、サービングノードアドレスを備えてもよい。サービングノードは、第１のネットワークのノードであってもよい。
【００１３】
第１の実施形態の方法において、ネットワーク識別情報は、ワンタイムトークンを備えてもよい。
【００１４】
第１の実施形態の方法において、ネットワーク識別情報は、異種ネットワーク識別情報を備えてもよい。
【００１５】
第１の実施形態の方法において、第１のネットワークノードは、ユーザ機器のアクセスを第２のネットワークとユーザ機器とのうちの少なくとも１つと調整するためにネットワーク識別情報を利用してもよい。
【００１６】
第２の実施形態によれば、装置は、第１のネットワークおよび第２のネットワークに対して有効であり得るネットワーク識別情報を決定する決定手段を備えてもよい。装置はさらに、ネットワーク識別情報をユーザ機器に割り当てる割り当て手段を備えてもよい。装置はさらに、第２のネットワークの少なくとも１つのノードとユーザ機器とにネットワーク識別情報を提供する提供手段を備えてもよい。第１のネットワークと第２のネットワークとは、異なる技術に基づいてもよい。
【００１７】
第２の実施形態の装置において、装置は、ホームサービスサブスクライバか、または無線アクセスネットワークのノードか、のうちの１つを備えてもよい。
【００１８】
第２の実施形態の装置において、第１のネットワークは、無線アクセスネットワークに該当してもよく、第２のネットワークは、ワイヤレスローカルエリアネットワークに該当してもよい。
【００１９】
第２の実施形態の装置において、ネットワーク識別情報は、一時的なオフロード識別子に相当してもよい。
【００２０】
第２の実施形態の装置において、ネットワーク識別情報をユーザ機器に割り当てることは、ユーザ機器が休止後に第１のネットワークまたは第２のネットワークとアソシエートすると識別情報を割り当てることを含んでもよい。
【００２１】
第２の実施形態の装置において、装置は、ユーザ機器が第１のネットワークおよび第２のネットワークからデタッチした後に、ユーザ機器からネットワーク識別情報を解放する解放手段をさらに備えてもよい。
【００２２】
第２の実施形態の装置において、ネットワーク識別情報を第２のネットワークに提供することは、識別情報をｒａｄｉｕｓメッセージに付加することを含んでもよい。
【００２３】
第２の実施形態の装置において、ネットワーク識別情報を決定することは、国際モバイルサブスクライバ識別情報または国際移動局機器識別情報に基づく識別情報を決定することを含んでもよい。
【００２４】
第２の実施形態の装置において、ネットワーク識別情報は、第２のネットワークまたはユーザ機器により識別されることが可能であるような形で構築されてもよい。
【００２５】
第２の実施形態の装置において、ネットワーク識別情報は、ルーティング情報を備えてもよい。
【００２６】
第２の実施形態の装置において、ルーティング情報は、サービングノードアドレスを備えてもよい。サービングノードは、第１のネットワークのノードであってもよい。
【００２７】
第２の実施形態の装置において、ネットワーク識別情報は、ワンタイムトークンを備えてもよい。
【００２８】
第２の実施形態の装置において、ネットワーク識別情報は、異種ネットワーク識別情報を備えてもよい。
【００２９】
第２の実施形態の装置において、第１のネットワークノードは、ユーザ機器のアクセスを第２のネットワークとユーザ機器とのうちの少なくとも１つと調整するためにネットワーク識別情報を利用してもよい。
【００３０】
第３の実施形態によれば、コンピュータプログラム製品は非一時的なコンピュータ可読媒体上に具現化されてもよい。コンピュータプログラム製品は、第１の実施形態の方法によるプロセスを実行するようにプロセッサを制御するよう構成されてもよい。
【００３１】
第４の実施形態によれば、方法は、割り当てられたネットワーク識別情報をユーザ機器により受信することを含んでもよい。ネットワーク識別情報は、第１のネットワークから発信されてもよく、第１のネットワークおよび第２のネットワークに対して有効であってもよい。第１のネットワークと第２のネットワークとは、異なる技術に基づいてもよい。本方法はさらに、ユーザ機器によりネットワーク識別情報を第２のネットワークに提供することを含んでもよい。
【００３２】
第４の実施形態の方法において、本方法は、ユーザ機器によって、ユーザ機器のネットワークトラフィックが第１のネットワークから第２のネットワークにオフロードされるべきであると判断することをさらに含んでもよい。
【００３３】
第４の実施形態の方法において、本方法は、ユーザ機器のネットワークトラフィックを第２のネットワークにオフロードすることを第２のネットワークが承認した後に、オフロードすることをさらに含んでもよい。
【００３４】
第４の実施形態の方法において、ネットワーク識別情報は、ユーザ機器に割り当てられた一時的なオフロード識別子を備えてもよい。
【００３５】
第４の実施形態の方法において、ネットワーク識別情報は、異種ネットワーク識別情報を備えてもよい。
【００３６】
第４の実施形態の方法において、割り当てられたネットワーク識別情報を受信することは、ホームサービスサブスクライバまたは無線アクセスネットワークノードから受信することを含んでもよい。
【００３７】
第４の実施形態の方法において、第１のネットワークは、無線アクセスネットワークに該当してもよく、第２のネットワークは、ワイヤレスローカルエリアネットワークに該当してもよい。
【００３８】
第４の実施形態の方法において、一時的なオフロード識別子は、擬似乱数に基づいてもよい。
【００３９】
第４の実施形態の方法において、ユーザ機器は、そのアクセスを第１のネットワークと第２のネットワークとのうちの少なくとも１つと調整するためにネットワーク識別情報を利用してもよい。
【００４０】
第５の実施形態によれば、装置は、割り当てられたネットワーク識別情報を受信する受信手段を備えてもよい。ネットワーク識別情報は、第１のネットワークから発信されてもよく、第１のネットワークおよび第２のネットワークに対して有効であってもよく、第１のネットワークと第２のネットワークとは異なる技術に基づいてもよい。装置はさらに、ネットワーク識別情報を第２のネットワークに提供する提供手段を備えてもよい。
【００４１】
第５の実施形態の装置において、装置は、装置のネットワークトラフィックが第１のネットワークから第２のネットワークにオフロードされるべきであると判断する判断手段をさらに備えてもよい。
【００４２】
第５の実施形態の装置において、装置は、装置のネットワークトラフィックを第２のネットワークにオフロードすることを第２のネットワークが承認した後に、オフロードするオフロード手段をさらに備えてもよい。
【００４３】
第５の実施形態の装置において、ネットワーク識別情報は、装置に割り当てられた一時的なオフロード識別子を備えてもよい。
【００４４】
第５の実施形態の装置において、ネットワーク識別情報は、異種ネットワーク識別情報を備えてもよい。
【００４５】
第５の実施形態の装置において、割り当てられたネットワーク識別情報を受信することは、ホームサービスサブスクライバまたは無線アクセスネットワークノードから受信することを含んでもよい。
【００４６】
第５の実施形態の装置において、第１のネットワークは、無線アクセスネットワークに該当してもよく、第２のネットワークは、ワイヤレスローカルエリアネットワークに該当してもよい。
【００４７】
第５の実施形態の装置において、一時的なオフロード識別子は、擬似乱数に基づいてもよい。
【００４８】
第５の実施形態の装置において、装置は、そのアクセスを第１のネットワークと第２のネットワークとのうちの少なくとも１つと調整するためにネットワーク識別情報を利用してもよい。
【００４９】
第５の実施形態の装置において、装置はユーザ機器を備えてもよい。
【００５０】
第６の実施形態によれば、コンピュータプログラム製品が非一時的なコンピュータ可読媒体上に具現化されてもよい。コンピュータプログラム製品は、第４の実施形態の方法によるプロセスを実行するようにプロセッサを制御するよう構成されてもよい。
【００５１】
第７の実施形態によれば、方法は、ネットワークノードによりネットワーク識別情報を受信することを含んでもよい。ユーザ機器は、第１のネットワークとアソシエートしていてもよく、ネットワークノードは、第２のネットワークのノードに該当してもよく、ユーザ識別情報は、第１のネットワークおよび第２のネットワークに対して有効であってもよく、第１のネットワークと第２のネットワークとは、異なる技術に基づいてもよい。
【００５２】
第７の実施形態の方法において、本方法は、第１のネットワークから第２のネットワークにトラフィックをオフロードすることをユーザ機器が承認されてよいかどうかを判断することをさらに含んでもよい。
【００５３】
第７の実施形態の方法において、ネットワーク識別情報を受信することは、ユーザ機器または第１のネットワークのノードからネットワーク識別情報を受信することを含んでもよい。
【００５４】
第７の実施形態の方法において、ネットワーク識別情報は、ユーザ機器に割り当てられた一時的なオフロード識別子を備えてもよい。
【００５５】
第７の実施形態の方法において、ネットワーク識別情報は、異種ネットワーク識別情報を備えてもよい。
【００５６】
第７の実施形態の方法において、第２のネットワークのノードは、ユーザ機器のアクセスを第１のネットワークとユーザ機器とのうちの少なくとも１つと調整するためにネットワーク識別情報を利用してもよい。
【００５７】
第７の実施形態の方法において、第１のネットワークは、無線アクセスネットワークに該当してもよく、第２のネットワークは、ワイヤレスローカルエリアネットワークに該当してもよい。
【００５８】
第７の実施形態の方法において、一時的なオフロード識別子は、擬似乱数に基づいてもよい。
【００５９】
第７の実施形態の方法において、受信されたネットワーク識別情報は、異種ネットワーク識別情報としてネットワーク構成要素により識別され得る形で構築されていてもよい。
【００６０】
第７の実施形態の方法において、ネットワーク識別情報は、ルーティング情報を備えてもよく、ネットワークはルーティング情報を抽出してもよい。
【００６１】
第７の実施形態の方法において、ルーティング情報は、サービングノードアドレスを備えてもよい。サービングノードは、第１のネットワークのノードであってもよい。
【００６２】
第７の実施形態の方法において、ネットワーク識別情報は、ワンタイムトークンを備えてもよい。
【００６３】
第８の実施形態によれば、装置は、ネットワーク識別情報を受信する受信手段を備えてもよい。ユーザ機器は、第１のネットワークとアソシエートしていてもよく、装置は、第２のネットワークのノードに該当してもよく、ユーザ識別情報は、第１のネットワークおよび第２のネットワークに対して有効であってもよく、第１のネットワークと第２のネットワークとは、異なる技術に基づいてもよい。
【００６４】
第８の実施形態の装置において、装置は、第１のネットワークから第２のネットワークにトラフィックをオフロードすることをユーザ機器が承認されてよいかどうかを判断する判断手段をさらに備えてもよい。
【００６５】
第８の実施形態の装置において、ネットワーク識別情報を受信することは、ユーザ機器または第１のネットワークのノードからネットワーク識別情報を受信することを含んでもよい。
【００６６】
第８の実施形態の装置において、ネットワーク識別情報は、ユーザ機器に割り当てられた一時的なオフロード識別子を備えてもよい。
【００６７】
第８の実施形態の装置において、ネットワーク識別情報は、異種ネットワーク識別情報を備えてもよい。
【００６８】
第８の実施形態の装置において、第２のネットワークのノードは、ユーザ機器のアクセスを第１のネットワークとユーザ機器とのうちの少なくとも１つと調整するためにネットワーク識別情報を利用してもよい。
【００６９】
第８の実施形態の装置において、第１のネットワークは、無線アクセスネットワークに該当してもよく、第２のネットワークは、ワイヤレスローカルエリアネットワークに該当してもよい。
【００７０】
第８の実施形態の装置において、一時的なオフロード識別子は、擬似乱数に基づいてもよい。
【００７１】
第８の実施形態の装置において、受信されたネットワーク識別情報は、異種ネットワーク識別情報としてネットワーク構成要素により識別されることが可能な形で構築されていてもよい。
【００７２】
第８の実施形態の装置において、ネットワーク識別情報は、ルーティング情報を備えてもよく、ネットワークはルーティング情報を抽出する。
【００７３】
第８の実施形態の装置において、ルーティング情報は、サービングノードアドレスを備えてもよく、サービングノードは、第１のネットワークのノードであってもよい。
【００７４】
第８の実施形態の装置において、ネットワーク識別情報は、ワンタイムトークンを備えてもよい。
【００７５】
第８の実施形態の装置において、装置は、ワイヤレスローカルエリアネットワークアクセスポイントまたはワイヤレスローカルエリアネットワークコントローラを備えてもよい。
【００７６】
第９の実施形態によれば、コンピュータプログラム製品が非一時的なコンピュータ可読媒体上に具現化されてもよく、コンピュータプログラム製品は、第７の実施形態の方法によるプロセスを実行するようにプロセッサを制御するよう構成される。
【００７７】
第１０の実施形態によれば、装置は少なくとも１つのプロセッサを備えてもよい。装置はさらに、コンピュータプログラムコードを含む少なくとも１つのメモリを備えてもよい。少なくとも１つのメモリおよびコンピュータプログラムコードは、少なくとも１つのプロセッサとともに、装置に、第１のネットワークおよび第２のネットワークに対して有効であり得るネットワーク識別情報を決定することを少なくともさせるよう構成されてもよい。装置にはさらに、ネットワーク識別情報をユーザ機器に割り当てさせてもよい。装置にはさらに、第２のネットワークの少なくとも１つのノードとユーザ機器とにネットワーク識別情報を提供させてもよく、第１のネットワークと第２のネットワークとは、異なる技術に基づいてもよい。
【００７８】
第１１の実施形態によれば、装置は少なくとも１つのプロセッサを備えてもよい。装置はさらに、コンピュータプログラムコードを含む少なくとも１つのメモリを備えてもよい。少なくとも１つのメモリおよびコンピュータプログラムコードは、少なくとも１つのプロセッサとともに、装置に、割り当てられたネットワーク識別情報を受信することを少なくともさせるよう構成されてもよい。ネットワーク識別情報は、第１のネットワークから発信されてもよく、第１のネットワークおよび第２のネットワークに対して有効であってもよい。第１のネットワークと第２のネットワークとは、異なる技術に基づいてもよい。装置にはさらに、ネットワーク識別情報を第２のネットワークに提供させてもよい。
【００７９】
第１２の実施形態によれば、装置は少なくとも１つのプロセッサを備えてもよい。装置はさらに、コンピュータプログラムコードを含む少なくとも１つのメモリを備えてもよい。少なくとも１つのメモリおよびコンピュータプログラムコードは、少なくとも１つのプロセッサとともに、装置に、ネットワーク識別情報を受信することを少なくともさせるよう構成されてもよい。ユーザ機器が第１のネットワークとアソシエートしていてもよく、装置は第２のネットワークのノードに該当してもよい。ユーザ識別情報は、第１のネットワークおよび第２のネットワークに対して有効であってもよく、第１のネットワークと第２のネットワークとは異なる技術に基づいてもよい。
【００８０】
第１３の実施形態によれば、システムは、第１のネットワークおよび第２のネットワークに対して有効であり得るネットワーク識別情報を決定する第１の決定手段を備える第１の装置を備えてもよい。第１の装置はさらに、ネットワーク識別情報を第２の装置に割り当てる割り当て手段を備えてもよい。第１の装置はさらに、第２のネットワークの少なくとも１つのノードと第２の装置とにネットワーク識別情報を提供する第１の提供手段を備えてもよい。第１のネットワークと第２のネットワークとは、異なる技術に基づいてもよい。システムはさらに、割り当てられたネットワーク識別情報を受信する第１の受信手段を備える第２の装置を備えてもよく、ネットワーク識別情報は第１のネットワークから発信される。第２の装置はさらに、ネットワーク識別情報を第２のネットワークに提供する第２の提供手段を備えてもよい。システムはさらに、ネットワーク識別情報を受信する第２の受信手段を備える第３の装置を備えてもよい。第２の装置は第１のネットワークとアソシエートしていてもよく、第３の装置は第２のネットワークのノードに該当してもよい。
【図面の簡単な説明】
【００８１】
本発明を適切に理解するために、添付図面を参照されたい。
【００８２】
【図１（ａ）】本発明の実施例となりうる、ユーザ機器が識別情報を提供するＲＡＮ／ＷＬＡＮメッセージングを示す。
【００８３】
【図１（ｂ）】本発明の実施例となりうる、ユーザ機器がＷＬＡＮにアクセスすべきかどうかを判断するためのＲＡＮ／ＷＬＡＮメッセージングを示す。
【００８４】
【図１（ｃ）】本発明の実施例となりうる、ユーザ機器がもとのＲＡＮにオンロードされることをＲＡＮがリクエストするときに使用されるＲＡＮ／ＷＬＡＮメッセージングを示す。
【００８５】
【図２（ａ）】本発明の実施例となりうる、擬似端末識別子（ＰＴＩＤ：ｐｓｅｕｄｏ−ｔｅｒｍｉｎａｌ  ｉｄｅｎｔｉｆｉｅｒ）内への無線アクセスネットワーク（ＲＡＮ：Ｒａｄｉｏ−Ａｃｃｅｓｓ  Ｎｅｔｗｏｒｋ）情報の組み入れを示す。
【００８６】
【図２（ｂ）】本発明の別の実施形態による、ＰＴＩＤ内へのＲＡＮ情報の組み入れを示す。
【００８７】
【図３】本発明の実施例となりうる、ＲＡＮがなおオフロードリクエストの承諾をする場合の、事前配布されたワンタイムトークンの使用を示す。
【００８８】
【図４】本発明の実施例となりうる方法のフローチャートを示す。
【００８９】
【図５】本発明の実施例となりうる別の方法のフローチャートを示す。
【００９０】
【図６】本発明の実施例となりうる別の方法のフローチャートを示す。
【００９１】
【図７】本発明の実施例となりうる装置を示す。
【００９２】
【図８】本発明の実施例となりうる装置を示す。
【００９３】
【図９】本発明の実施例となりうる装置を示す。
【００９４】
【図１０】本発明の実施例となりうる装置を示す。
【００９５】
【図１１】本発明の実施例となりうる装置を示す。
【００９６】
【図１２】本発明の実施例となりうる装置を示す。
【００９７】
【図１３】本発明の実施例となりうるシステムを示す。
【００９８】
【図１４】本発明の実施例となりうる装置を示す。
【詳細説明】
【００９９】
本発明の実施形態は、異種ネットワークと関連して利用され得るユーザ機器の識別情報に関する。ＷＬＡＮ技術は、他の無線アクセス技術がするようにモバイルブロードバンドユーザにサービスを提供する無線アクセス技術となりつつある。３ＧＰＰリリース１３の中に、ＬＴＥ／ＷＬＡＮキャリアアグリゲーションおよびデュアルコネクティビティをサポートする項目を追加する一定の提案がされている。よって、３ＧＰＰ技術およびＷＬＡＮ技術は無線レベルでより密に統合し得る。
【０１００】
本発明の一定の実施形態は、３ＧＰＰとワイヤレスローカルエリアネットワーク（ＷＬＡＮ：Ｗｉｒｅｌｅｓｓ−Ｌｏｃａｌ−Ａｒｅａ−Ｎｅｔｗｏｒｋ）との相互接続の分野に関する。３ＧＰＰは、ロングタームエボリューション（ＬＴＥ）および３Ｇなど、一定のモバイルワイヤレスアクセス技術を標準化したが、ＷＬＡＮモバイルワイヤレスアクセスは、ＩＥＥＥ標準８０２．１１−１２、バージョン２０１２による技術に基づく。現在のユーザ機器の多くは、３ＧＰＰ技術ならびにＷＬＡＮ技術の双方を利用する能力を備えている。具体的には、多くのユーザ機器には、少なくとも１つの３ＧＰＰ無線アクセス技術（ＲＡＴ：Ｒａｄｉｏ−Ａｃｃｅｓｓ−Ｔｅｃｈｎｏｌｏｇｙ）ならびにＷＬＡＮ無線インターフェースが装備されている。ＷＬＡＮアクセスポイントは、ユーザにより展開でき、アンライセンススペクトラムにおいて動作し得る。対照的に、現在の３ＧＰＰ基地局およびＵＥは、典型的にはオペレータにより所有され、典型的にはライセンススペクトラムを使用する。
【０１０１】
近時、オペレータは、３ＧＰＰ基地局のみならずＷＬＡＮアクセスポイント（ＡＰ：Ａｃｃｅｓｓ  Ｐｏｉｎｔ）も展開し始めており、ＷＬＡＮネットワークと３ＧＰＰネットワークとの間の調整を改善しようと努めている。そのようなオペレータ所有ＷＬＡＮネットワークは、一般に、「キャリアＷＬＡＮ」ネットワークと呼ぶことができ、ＷＬＡＮネットワークは、典型的にはＷＬＡＮ  ＡＰならびにＷＬＡＮアクセスコントローラ（ＡＣ：ａｃｃｅｓｓ  ｃｏｎｔｒｏｌｌｅｒ）を備える。ＷＬＡＮアクセスコントローラは、ＡＰの制御プレーンを提供でき、ユーザプレーン上のハブとして機能し得る。
【０１０２】
「無線アクセスネットワーク」（ＲＡＮ）という用語は、無線リソース制御（ＲＲＣ：ｒａｄｉｏ  ｒｅｓｏｕｒｃｅ  ｃｏｎｔｒｏｌ）機能性を実行する任意の３ＧＰＰ無線アクセスネットワークエンティティを指し得る。ＬＴＥにおいて、ＲＲＣ機能性は、ｅＮＢノードにより実行され得るが、ＷＣＤＭＡ（登録商標）（Ｗｉｄｅｂａｎｄ−Ｃｏｄｅ−Ｄｉｖｉｓｉｏｎ−Ｍｕｌｔｉｐｌｅ−Ａｃｃｅｓｓ）では、ＲＲＣ機能性は、別のＲＡＮノード（例えば無線ネットワークコントローラ（ＲＮＣ：Ｒａｄｉｏ  Ｎｅｔｗｏｒｋ  Ｃｏｎｔｒｏｌｌｅｒ）など）により実行され得る。ＲＲＣ／モビリティ管理（または既存のＲＲＣプロトコルに限定されず、無線リソース制御全般）は、ベンダー特有の実装形態に応じて、マルチＲＡＮコントローラのような中央ノードにより実行されることもあり得る。中央ノードはさらに、例えばＬＴＥ、ＷＬＡＮ、および／または３Ｇに対するコントローラとして機能することもあり得る。「ＷＬＡＮ」という用語は、別段の記載がない限り、ワイヤレスローカルアクセスネットワークを指すことができる。
【０１０３】
３ＧＰＰネットワークにおいてユーザ機器（ＵＥ：ｕｓｅｒ  ｅｑｕｉｐｍｅｎｔ）が通信するトラフィックを、ＵＥが３ＧＰＰネットワークからＷＬＡＮネットワークに移そうとするとき、３ＧＰＰネットワークはそのプロセスを認識していないかもしれない。トラフィックを３ＧＰＰネットワークからＷＬＡＮネットワークに移すこのプロセスを、「オフロード」と呼ぶことができる。「オンロード」という用語は、一般に、ＵＥがトラフィックをＷＬＡＮネットワークから３ＧＰＰネットワークに移す場合に関連するプロセスを指し得る。オンロードを実行するとき、３ＧＰＰネットワークは、オンロードのプロセスを認識していないかもしれない。３ＧＰＰネットワークがオンロードを認識していないかもしれないのは、３ＧＰＰネットワークにおいてユーザ機器により利用されるＵＥ識別情報が、ＷＬＡＮネットワークにおいて利用される同じユーザ機器のＵＥ識別情報と比べて、異なる／別のものであることもあるからである。いくつかの状況において、３ＧＰＰおよびＷＬＡＮネットワークを所有するオペレータは、オフロードプロセスを制御することに関心を持ち得る。しかしながら、そのような制御をするための機能性は、現在利用可能なツールによっては提供されていない。
【０１０４】
具体的には、オペレータは、オフロードの決定に関する情報を得たいと望むかもしれない。オペレータがオフロードの決定について知りたがる理由として１つ考えられるのは、オペレータが課金関係の問題に対処できるようにというものであろう。課金関係の問題に加えて、オペレータがオフロードの決定について知りたがるかもしれないもう１つの理由は、オペレータが、オフロード専用に構成されたＷＬＡＮにオフロードを誘導したいかもしれないというものである。そのＷＬＡＮは、場合によっては、オフロードでないＷＬＡＮトラフィックには利用可能でないかもしれない。オペレータがオフロードについて知りたがるかもしれないもう１つの理由は、オペレータが、トラフィック統計をとったり、どのくらいのトラフィックがオフロードされたのか、オフロードがどの程度成功しているのかについて認識したりしたいかもしれないというものである。オペレータは、ＱｏＳ（Ｑｕａｌｉｔｙ  ｏｆ  Ｓｅｒｖｉｃｅ：サービス品質）を監視して、一定のサービスレベルを強制することを望むこともある。オペレータがオフロードについて知りたがるもう１つの理由は、オペレータのビジネスポリシーによるものかもしれない。オペレータは、３ＧＰＰネットワークがＵＥにサービスを提供するのに十分な容量を有するときには、一定のユーザ／ＵＥを３ＧＰＰネットワークにとどめたい（したがって一定基準が満たされるとＷＬＡＮにアクセスしているＵＥをもとの３ＧＰＰにリダイレクトする）かもしれない。
【０１０５】
ＷＬＡＮがオフロード目的に使用され、オペレータがオフロードプロセスを制御し続けることを望む場合、オフロードリクエストの妥当性を確認すること、および、オフロードされたトラフィックを例えば課金のために識別できることが必要となり得る（例えば、ＲＡＮがオフロードの決定を下した場合はそのトラフィックに対して課金が適用されないことが可能かもしれない）。検証プロセスは、実際の検証自体の実行を含んでよく、さらにこのプロセスは、実際の検証が行われる場所への（検証されるべき）情報のルーティングも含んでもよい。
【０１０６】
上述の通り、従前の手法では、ＵＥは３ＧＰＰネットワークとＷＬＡＮネットワークとで別々の識別情報を有し得る。これら別々のエンティティが理由で、一般に（ＬＴＥ／ＷＬＡＮピコセルなどの）セルは、同じＵＥがピコセルのＬＴＥおよびＷＬＡＮ無線双方で同時にアクティブであるかどうかを見分けることができない。よって、従前の手法によりＬＴＥとＷＬＡＮとの間でＵＥアクティビティを調整するのは困難である。
【０１０７】
従前の手法のもう１つの欠点は、ＲＡＮオフロードを承認し適切な課金モデルを適用するために３ＧＰＰ  ＲＡＮ制御のオフロードと他のタイプのＷＬＡＮ使用とを区別することの難しさに関係する。ＷＬＡＮがアンライセンススペクトラムを使用しているとしても、ＷＬＡＮの使用は、必ずしも無料ではないかもしれない。ＲＡＮオフロードは３ＧＰＰネットワークの課金料金に含まれることもある一方、他のＷＬＡＮ使用には異なる課金がなされることもある。ＲＡＮ制御のオフロードでは、ユーザ機器は、ＧＳＭ（登録商標）サブスクライバ識別情報モジュールのための拡張認証プロトコルメソッド／認証・鍵合意／認証・鍵合意プライム（ＥＡＰ−ＳＩＭ／ＡＫＡ／ＡＫＡ−Ｐｒｉｍｅ：Ｅｘｔｅｎｓｉｂｌｅ−Ａｕｔｈｅｎｔｉｃａｔｉｏｎ−Ｐｒｏｔｏｃｏｌ−Ｍｅｔｈｏｄ−ｆｏｒ−ＧＳＭ−Ｓｕｂｓｃｒｉｂｅｒ−Ｉｄｅｎｔｉｔｙ−Ｍｏｄｕｌｅ／Ａｕｔｈｅｎｔｉｃａｔｉｏｎ−ａｎｄ−Ｋｅｙ−Ａｇｒｅｅｍｅｎｔ／Ａｕｔｈｅｎｔｉｃａｔｉｏｎ−ａｎｄ−Ｋｅｙ−Ａｇｒｅｅｍｅｎｔ−Ｐｒｉｍｅ）に基づく識別情報を使用しているかもしれない。
【０１０８】
従前の手法を使用する場合、ユーザ識別情報は、様々なＷＬＡＮネットワークに使用され得る。よって、ユーザ識別情報は、ＲＡＮオフロードに特有ではないかもしれない。したがって、従前の手法では、ユーザ識別情報のみを使用してＲＡＮオフロードを識別することはできないかもしれない。
【０１０９】
さらにユーザは、検出されたＷＬＡＮに対してＥＡＰ−ＳＩＭ／ＡＫＡ／ＡＫＡ−Ｐｒｉｍｅに基づく識別情報を使用することを手動選択したいかもしれない。さらに、ＷＬＡＮネットワークにおけるユーザの識別情報と、ＲＡＮにおけるユーザの３ＧＰＰ識別情報とをオフロード制御のために関連付けることができれば、有益かもしれない。
【０１１０】
本発明の一定の実施形態の場合、（例えば汎用サブスクライバ識別情報モジュール（ＵＳＩＭ：Ｕｎｉｖｅｒｓａｌ−Ｓｕｂｓｃｒｉｂｅｒ−Ｉｄｅｎｔｉｔｙ−Ｍｏｄｕｌｅ）カードを備える）ＵＥが、３ＧＰＰネットワークまたはＷＬＡＮネットワークのいずれかとアソシエートし、ＵＥがＵＳＩＭに基づく認証を実行すると、ネットワークノード（例えばホームサービスサブスクライバ（ＨＳＳ：Ｈｏｍｅ−Ｓｅｒｖｉｃｅ−Ｓｕｂｓｃｒｉｂｅｒ））が識別情報（例えば異種ネットワーク（ＨｅｔＮｅｔ）識別情報）をユーザ／ＵＥに割り当ててもよい。異種ネットワーク識別情報は、種々の技術および／または種々のセルタイプおよび／または種々のセルサイズと関連して使用される識別情報であってもよい。一定の実施形態において、ネットワークノードは、ＵＥ自体、ＲＡＮノード、および／または任意のエボルブドパケットシステム（ＥＰＳ：Ｅｖｏｌｖｅｄ−Ｐａｃｋｅｔ−Ｓｙｓｔｅｍ）ノードであってもよい。一定の実施形態において、識別子は、ＵＥにサービスを提供しているＡＡＡが入手できるようにされてもよい。ＨＳＳは、３ＧＰＰおよびＷＬＡＮの両サイドでＳＩＭ認証に関与し得るので、ＨＳＳが最も近い共通ポイントであるかもしれない。ＨｅｔＮｅｔユーザ／ＵＥ識別情報はＨＳＳに記憶されてもよく、認証中、ＨｅｔＮｅｔユーザ／ＵＥ識別情報はＨＳＳから３ＧＰＰおよびＷＬＡＮネットワークに、および特にＲＡＮに（例えばｅＮＢ、ＷＬＡＮコントローラ／アクセスコントローラ、および／またはＷＬＡＮ  ＡＰに）提供されてもよい。次に、３ＧＰＰおよびＷＬＡＮネットワークは、ＨｅｔＮｅｔユーザ／ＵＥ識別子を使用してユーザ／ＵＥに関するメッセージをやり取りしてもよい。そのようなメッセージは、例として、（負荷分散、ＱｏＳのため、または無線品質に基づく選択のための）ＵＥのネットワーク選択の調整の実行、ＬＴＥ／ＷＬＡＮキャリアアグリゲーションの実行、および／またはＬＴＥ／ＷＬＡＮデュアルコネクティビティの実行などに関するものであってもよい。例えば、キャリアアグリゲーションでは、ＵＥからメッセージを受信するＷＬＡＮネットワークが、そのメッセージをユーザ／ＵＥ識別情報とともに、（３ＧＰＰ基地局およびＷＬＡＮ  ＡＰが同じネットワーク構成要素に物理的に共同設置されることさえ要求せずに）３ＧＰＰおよびＷＬＡＮ無線上で受信されたメッセージを意味をなすＩＰパケットおよびフローへと結合する機能に提供してもよい。
【０１１１】
３ＧＰＰおよびＷＬＡＮネットワークは、無線上で動作するとき、（ＬＴＥグローバル一意一時的識別情報（ＧＵＴＩ：Ｇｌｏｂａｌｌｙ−Ｕｎｉｑｕｅ−Ｔｅｍｐｏｒａｒｙ−Ｉｄｅｎｔｉｔｙ）のような）既存の（一時的な）識別情報をなお使用してもよいので、本発明の実施形態を使用するとき、ネットワークの動作は全般的に大きく変更されない。
【０１１２】
ＨｅｔＮｅｔユーザ／ＵＥ識別情報／識別子に関して、実施形態によっては、識別情報／識別子は、例えば、ユーザ／ＵＥが休止後に３ＧＰＰまたはＷＬＡＮネットワークとアソシエートしたときにＨＳＳにより割り当てられ得る３２または６４ビットの値であってもよい。全般的に、「休止後」とは、例えばＵＥの電源がたった今入れられたため、それ以前はいずれのネットワークともアソシエートしていなかった場合、またはＵＥが同時に３ＧＰＰおよびＷＬＡＮネットワークに接続された状態になった場合、を意味し得る。ＨｅｔＮｅｔユーザ／ＵＥ識別情報は、（例えば、ＵＥの電源が切られる間など）ＵＥが３ＧＰＰおよびＷＬＡＮの両ネットワークからデタッチした後にＵＥから解放され得る。
【０１１３】
本発明の実施形態によっては、上述の通り、ユーザ／ＵＥがネットワークにアソシエート（アタッチ）すると、ＨＳＳが３ＧＰＰおよびＷＬＡＮネットワークに識別情報／識別子を送付する。識別情報／識別子は、Ｒａｄｉｕｓ（またはＤｉａｍｅｔｅｒ）メッセージに付加されてもよく、これにより、認証・許可・アカウンティング（ＡＡＡ：Ａｕｔｈｅｎｔｉｃａｔｉｏｎ−Ａｕｔｈｏｒｉｚａｔｉｏｎ−ａｎｄ−Ａｃｃｏｕｎｔｉｎｇ）サーバ、ワイヤレスＬＡＮコントローラ（ＷＬＣ：Ｗｉｒｅｌｅｓｓ−ＬＡＮ−Ｃｏｎｔｒｏｌｌｅｒ）、ＷＬＡＮアクセスポイント（ＡＰ）、および／または他の構成要素は、ＷＬＡＮホットスポット認証の間にＵＥの識別情報を知ることができる。例えば、新たな情報要素がＲａｄｉｕｓメッセージにおいて使用されてもよい。識別子は、ＵＥとモビリティ管理エンティティ（ＭＭＥ：Ｍｏｂｉｌｉｔｙ−Ｍａｎａｇｅｍｅｎｔ−Ｅｎｔｉｔｙ）との間でやり取りされ得るモビリティ管理メッセージに付加されてもよく、これにより、例えばユーザ／ＵＥ認証手順の間にｅＮＢがＵＥの識別情報を知ることができる。例えば、ユーザ／ＵＥ認証プロセスの間にＬＴＥネットワーク構成要素によりやり取りされ得るメッセージにおいて、新たな情報要素が使用されてもよい。さらに、識別子は、信頼されたワイヤレスアクセスゲートウェイ（ＴＷＡＧ：Ｔｒｕｓｔｅｄ−Ｗｉｒｅｌｅｓｓ−Ａｃｃｅｓｓ−Ｇａｔｅｗａｙ）、エボルブドパケットデータゲートウェイ（ｅＰＤＧ：Ｅｖｏｌｖｅｄ−Ｐａｃｋｅｔ−Ｄａｔａ−Ｇａｔｅｗａｙ）、システムアーキテクチャエボリューションゲートウェイ（ＳＡＥ−ＧＷ：Ｓｙｓｔｅｍ−Ａｒｃｈｉｔｅｃｔｕｒｅ−Ｅｖｏｌｕｔｉｏｎ−Ｇａｔｅｗａｙ）、および／または他のユーザプレーン構成要素に、必要に応じて（例えばｅＮＢ、ＷＬＡＮ  ＡＰ、および／またはＷＬＡＮコントローラにより）送付されてもよい。例えば、識別子は、ＵＥのためのユーザプレーン接続、コンテキスト、および／またはベアラを確立するときに送付されてもよい。
【０１１４】
実施形態によっては、ＨｅｔＮｅｔユーザ／ＵＥ識別子は、ＵＥに通知されなくてもよい。ＨｅｔＮｅｔユーザ／ＵＥ識別子は、３ＧＰＰおよびＷＬＡＮネットワーク構成要素内部に維持されてもよい。しかしながら、さらに詳しく後述される通り、他の実施形態では、ＨｅｔＮｅｔユーザ／ＵＥ識別子はＵＥに通知されてもよい。
【０１１５】
実施形態によっては、ＨｅｔＮｅｔユーザ／ＵＥ識別情報／識別子は、例えば、ＵＥに固有の国際モバイルサブスクライバ識別情報（ＩＭＳＩ：Ｉｎｔｅｒｎａｔｉｏｎａｌ−Ｍｏｂｉｌｅ−Ｓｕｂｓｃｒｉｂｅｒ−Ｉｄｅｎｔｉｔｙ）または国際移動局機器識別情報（ＩＭＥＩ：Ｉｎｔｅｒｎａｔｉｏｎａｌ−Ｍｏｂｉｌｅ−Ｓｔａｔｉｏｎ−Ｅｑｕｉｐｍｅｎｔ−Ｉｄｅｎｔｉｔｙ）に基づき決定されてもよい。ＨｅｔＮｅｔユーザ／ＵＥ識別情報は、ＩＭＳＩ／ＩＭＥＩと厳密に同じでなくてもよい。一般に、ＨｅｔＮｅｔユーザ／ＵＥ識別情報を、ＩＭＳＩまたはＩＭＥＩを使用して形成することで、識別情報が解放されて別のユーザ／ＵＥに再割り当てされても問題がない。
【０１１６】
実施形態によっては、ＨｅｔＮｅｔユーザ／ＵＥ識別情報はＩＭＳＩであってもよい。ＷＬＡＮネットワークは、ＵＥのＩＭＳＩを、ＷＬＡＮホットスポット認証手順の間に判断してもよい。ＵＥは、セル再選択のためのＲＲＣ通信の一環として、またはＬＴＥ／ＲＡＮネットワークとの初期アタッチの間に、ＩＭＳＩをｅＮＢ／Ｎｏｄｅ  Ｂに提供してもよい。１つの選択肢として、ｅＮＢは、（例えばトラッキングエリア更新手順を実行している間に）同じくセルとのＵＥアソシエーションの一環として（ＭＭＥのような）ＥＰＣ（Ｅｖｏｌｖｅｄ  Ｐａｃｋｅｔ  Ｃｏｒｅ：エボルブドパケットコア）構成要素から、ＵＥ  ＩＭＳＩを知ってもよい。ＬＴＥ／ＲＡＮネットワークとの初期アタッチの後、ｅＮＢは、ＵＥ  ＩＭＳＩを、例えばプロファイルデータなどの他のデータとともにやり取りする。
【０１１７】
実施形態によっては、ＨｅｔＮｅｔユーザ／ＵＥ識別情報は、ＷＬＡＮにおけるＵＥ  ＭＡＣアドレスと一致してもよい。媒体アクセス制御（ＭＡＣ：Ｍｅｄｉａ−Ａｃｃｅｓｓ−Ｃｏｎｔｒｏｌ）アドレスは、ＵＥ固有であってもよく、ＭＡＣアドレスは、ＷＬＡＮネットワーク構成要素間で伝送されるメッセージにおいて広く入手可能であり得る。ＷＬＡＮネットワーク構成要素には、例えば、ＷＬＡＮ  ＡＰ、ＷＬＡＮコントローラ、および／またはＡＡＡサーバが含まれ得る。ＭＡＣアドレスは、ＵＥを識別する（ひいては所与の時点におけるユーザを識別する）ために使用され得る。ＵＥは、ＲＲＣメッセージを使用してＵＥのＭＡＣアドレスをｅＮＢ／Ｎｏｄｅ  Ｂに提供してもよい。
【０１１８】
実施形態によっては、ＨｅｔＮｅｔユーザ／ＵＥ識別情報は、ｒａｄｉｕｓユーザ名と一致してもよい。ＷＬＡＮホットスポット認証の間、ＵＥは、ユーザ名＠レルム、例えばｊｏｈｎ．ｓｍｉｔｈ＠ｍｃｃ．ｍｎｃ．３ｇｐｐ．ｃｏｍを提供することにより、ＥＡＰ識別情報／応答メッセージにおいてＡＡＡサーバに対し自身を識別してもよい。この例では、「Ｊｏｈｎ  Ｓｍｉｔｈ」がユーザ名であってもよく、ＭＣＣ（ｍｏｂｉｌｅ  ｃｏｕｎｔｒｙ  ｃｏｄｅ：モバイルカントリーコード）およびＭＮＣ（ｍｏｂｉｌｅ  ｎｅｔｗｏｒｋ  ｃｏｄｅ：モバイルネットワークコード）が、それぞれ国およびネットワークオペレータを識別してもよい。ＵＥは、使用されるＷＬＡＮユーザ名＠レルム識別情報を、ＲＲＣメッセージ内でＲＡＮに提供してもよい。ＲＡＮおよびＷＬＡＮネットワークは、ユーザ／ＵＥに関係するメッセージを、この識別情報を使用してやり取りしてもよい。
【０１１９】
実施形態によっては、ＡＡＡプロキシがＲＡＮとインターフェースで接続してもよい。機能性の観点からは、ＡＡＡプロキシは、ＵＥとＡＡＡサーバとの間の認証メッセージングを監視する能力を有し且つＲＡＮ／ＷＬＡＮ相互接続関連のアクションを適宜トリガする、ＡＡＡサーバとしてローカルで機能し得る。ＡＡＡプロキシは、ＯＳＳまたはＷＬＣに位置してもよい。ＡＡＡプロキシは、ＲＡＮおよびＷＬＡＮの両ネットワークをインターフェースで接続するために使用されてもよい。実施形態によっては、ＲＡＮ／ＷＬＡＮ相互接続メッセージングは、ＵＥのＲＡＮ／ＷＬＡＮ選択を誘導してもよい。ＵＥがＷＬＡＮ  ＡＰを選択すると、例えばＡＰ負荷は妥当か、ＵＥ無線品質は妥当か、および／またはＷＬＡＮが進行中のサービスをサポートできるかなどのさらなる判断が必要となり得る。３ＧＰＰにおいて新たなＷＬＡＮ／ＲＡＮ相互接続インターフェースが規定されてもよく、上述した識別情報／識別子が新たなＷＬＡＮ／ＲＡＮ相互接続インターフェースのためのシグナリングにおいて使用されてもよい。このさらなる判断は、ＷＬＡＮネットワークとＲＡＮとの通信を必要とし得る。その結果、この通信は、良好なユーザ体験を確保してもよく、ＷＬＡＮが良好なユーザ体験をサポートしないときにはＷＬＡＮの使用を回避してもよい。図１（ａ）は、本発明の実施例となりうる、ユーザ機器が識別情報を提供するＲＡＮ／ＷＬＡＮメッセージングを示す。図１（ａ）を参照する。ＵＥ１００は、識別情報をＲＡＮ１１０に提供する。ＵＥ１００が識別情報をＲＡＮ１１０に提供するとき、識別情報はさらに、例えばＷＬＡＮアクセスポイント１２０、ワイヤレスＬＡＮコントローラ（ＷＬＣ）１３０、ＡＡＡプロキシ１５０、ＡＡＡ１６０、および／またはＨＳＳ１７０などの他の構成要素に提供されてもよい。
【０１２０】
図１（ｂ）は、本発明の実施例となりうる、ユーザ機器がＷＬＡＮにアクセスすべきかどうかを判断するためのＲＡＮ／ＷＬＡＮメッセージングを示す。図１（ｂ）により示される実施形態にはほかの実装形態がある。ＲＡＮ  ＵＥリソースステータスリクエスト１９０は、ＡＡＡ１９１自体から送信されてもよい。ＲＡＮ  ＵＥリソースステータスリクエスト１９０は、ＥＡＰ認証手順の間、任意の時点で送信され得る。好適には、ＲＡＮ  ＵＥリソースステータスリクエスト１９０は、（例えばＩＭＳＩのような）使用可能なＵＥ識別情報が分かり次第送信されてもよい。ＲＡＮ  ＵＥリソースステータスリクエスト１９０は、ＷＬＡＮ  ＡＳＳＯＣＩＡＴＩＯＮフェーズの間、いずれのＥＡＰ認証よりも前に送信されてもよい。この時点では、ＵＥ  ＭＡＣアドレスのみが既知である可能性もあり得るので、ＵＥ  ＭＡＣアドレスがＵＥ識別情報として使用されてもよい。図１（ｂ）は「ＥＡＰ−ＳＩＭ／ＡＫＡ認証成功」１９２を示すが、実施形態によっては、認証手順は、ＲＡＤＩＵＳアクセス許可（Ａｃｃｅｓｓ−Ａｃｃｅｐｔ）メッセージが送信されるまで完了しないこともある。このメッセージは、ＥＡＰ認証の成功を示す。さらに、ＷＬＣ１９５またはＷＬＡＮ  ＡＰが、ＲＡＮ  ＵＥリソースステータスリクエストクエリ１９０を、ＡＡＡの関与なしに、ＲＡＮ１９６に直接送信してもよい。
【０１２１】
本発明の一定の実施形態によれば、１つの例示のシナリオにおいて、ＵＥは、例えばＡＮＤＳＦポリシーまたはＲＡＮ／ＷＬＡＮ相互接続手順に従った結果として、ＷＬＡＮネットワークに接続することを決定することもある。（Ｕ）ＳＩＭに基づくホットスポット認証が、ＷＬＡＮアクセスの過程で行われ得る。ＡＡＡプロキシは、ユーザ／ＵＥ識別情報を認識している場合もあり、ユーザ／ＵＥ識別情報は、ＭＡＣアドレス、またはＩＭＳＩ、またはＲＡＮにより割り当てられた識別情報と一致し得る。したがって、ＡＡＡプロキシは、ＵＥがＷＬＡＮネットワークにアクセスすることを許可されているかどうか、ＲＡＮに問い合わせてもよい。ユーザ／ＵＥ識別情報は、ＲＡＮに提供されているかもしれない（例えば、識別情報は３Ｇ  ＲＮＣまたはＬＴＥ  ｅＮＢに提供され得る）。次にＲＡＮは、そのＵＥに対してＵＥ  ＷＬＡＮアクセスが許可されるかまたは拒否されるかを判断してもよい。ＲＡＮは、ユーザ／ＵＥを識別できるので、判断を下す過程で、ＱｏＳプロファイル、ユーザプロファイルなどに関連する基準、および／またはその他詳細を考慮してもよい。ＲＡＮは、単なるローカルの負荷条件以上のものを考慮してもよい。ＵＥ  ＷＬＡＮアクセスが許可される場合、ＵＥはＷＬＡＮネットワーク上でデータを伝送し始めてもよい。その他の場合、ＵＥ  ＷＬＡＮアクセスが拒否されれば、ＵＥは、３Ｇ／ＬＴＥネットワークを使用したデータ伝送を継続してもよい。一般に、ＲＡＮがユーザ／ＵＥを識別できなければ、個別で最適なユーザ／ＵＥ別のトラフィックステアリングの決定を行うことはできない。
【０１２２】
図１（ｃ）は、本発明の実施例となりうる、ユーザ機器１８０がもとのＲＡＮ１８１にオンロードされることをＲＡＮがリクエストするときに使用されるＲＡＮ／ＷＬＡＮメッセージングを示す。同様に、ＡＡＡ１８２がバイパスされＲＡＮ１８１とＷＬＣ１８３（またはＷＬＡＮ  ＡＰ）とが直接通信できる場合、ＲＡＮ１８１は、ワイヤレスＬａｎコントローラ（ＷＬＣ）１８３に切断をリクエストしてもよい。一実施形態では、ＵＥ１８０はデータ伝送のためにＷＬＡＮを使用していてもよい。ＲＡＮ１８１は、ＷＬＡＮネットワークがＵＥ１８０をＷＬＡＮからもとのＲＡＮ１８１に移すことをリクエストしてもよい。例えばＲＡＮ１８１は、以前存在していたＲＡＮ１８１上の輻輳がその後解消すると、ＵＥ１８０がもとのＲＡＮ１８１に移されることをリクエストしてもよい。ＲＡＮ１８１は、ユーザ／ＵＥ識別情報をＡＡＡプロキシ１８４に提供してもよい。ＡＡＡプロキシ１８４は、切断リクエストメッセージを指定されたＵＥに送信できてもよく、またはＷＬＡＮ  ＡＰが、他の任意のＷＬＡＮ特有メカニズムを使用して、ＵＥをもとのＲＡＮにリダイレクトしてもよい。次にＵＥ１８０がＲＡＮ１８１に移されてもよく、ＵＥ１８０は、そのデータ伝送を３Ｇ／ＬＴＥ  ＲＡＮを介して継続してもよい。
【０１２３】
実施形態によっては、ＨｅｔＮｅｔユーザ／ＵＥ識別情報は（例えばＧＵＴＩなどの）一時的なＲＡＮ識別情報と一致してもよい。ＵＥがｅＮＢと通信するとき、一時的なユーザ識別情報が確立されて、ＲＡＮがユーザを一意に識別できてもよい。例えば、ＬＴＥは、グローバル一意一時的ＩＤ（ＧＵＴＩ）を使用し得る。ＧＵＴＩのほかに、別の識別子も使用されてもよい。例えば、識別子は、ＲＡＮおよびＵＥが認識し、ＲＡＮがＲＡＮ／ＷＬＡＮ相互接続メッセージングの一環としてＵＥに別に割り当てる、任意の８、１６、または３２ビット識別子であってもよい。ＲＡＮは、例えばＲＲＣシグナリングを使用してＵＥに提供される一時的なオフロード識別子を割り当ててもよい。識別子のフォーマットに応じて、ＵＥは、ＥＡＰシグナリングにおけるユーザ名として（外部ユーザ名識別情報として）識別子を直接使用してもよく、または識別子は、ＵＥとＡＡＡとの間のＥＡＰシグナリング内で伝達されてＷＬＡＮがシグナリングから識別子を傍受できてもよい。識別子のフォーマットは、例えばユーザ名（例えばＰＴＩＤ）において使用されているレルムに基づいてＲＡＮオフロードユーザ名として識別可能であってもよい。ＵＥがＷＬＡＮホットスポットに接続して認証が始まると、ＵＥは、一時的なＲＡＮ識別情報をＷＬＡＮネットワークに提供する。一時的なＲＡＮ識別情報のこの提供は、例えば、ＵＥとＡＡＡサーバとの間でやり取りされるＥＡＰフレームを拡張することにより実行されてもよい。ＷＬＡＮ  ＡＰおよびＷＬＡＮコントローラ／アクセスコントローラは、ＡＡＡサーバへ向けて送信されるメッセージから識別子を読み取ってもよい。１つの選択肢として、ＬＴＥにより割り当てられたＧＵＴＩは、ユーザ／ＵＥ特有ＩＤに加えて、ｅＮＢ特有のプレフィックス／ポストフィックスを含んでもよい。プレフィックス／ポストフィックスは、セルＩＤおよび／またはｅＮＢ  ＩＤ情報および／またはＵＥにサービスを提供するｅＮＢを識別する他の情報を含んでもよい。ＵＥがＷＬＡＮにアクセスするとき、ＵＥはＧＵＴＩをＷＬＡＮネットワークに提供する。ｅＮＢがＧＵＴＩ割り当ての一環としてｅＮＢ特有プレフィックス／ポストフィックスを使用する場合、ＷＬＡＮネットワークは、プレフィックス／ポストフィックス部を使用して、（例えば事前設定またはＤＮＳクエリを使用して）ＬＴＥにおいてＵＥにサービスを提供しているｅＮＢを識別してもよい。これは、ＷＬＡＮネットワークが、適切なｅＮＢとの通信を動的に開始して、ＵＥ  ＷＬＡＮアクセスを調整することを可能にする。結果として、ｅＮＢはＷＬＡＮアドレス情報を知り、必要（例えばＵＥをもとのＲＡＮにオンロードする）に応じてＷＬＡＮと通信することができる。
【０１２４】
３ＧＰＰおよびＷＬＡＮネットワークにおいて共通ユーザ／ＵＥ識別子を確立した後、３ＧＰＰおよびＷＬＡＮネットワークは、識別情報を使用してユーザ／ＵＥに関係するアクティビティの調整を開始してもよい。例えばＵＥは、ＬＴＥピコセルにおいて接続中のベアラを有してもよく、ＵＥは、同時に、（同じピコセルの）ＷＬＡＮ  ＡＰとアソシエートしてもよい。ここで、ｅＮＢ  ＲＲＭ（Ｒａｄｉｏ  Ｒｅｓｏｕｒｃｅ  Ｍａｎａｇｅｒ：無線リソースマネージャ）およびＷＬＡＮ  ＲＲＭは、ユーザ／ＵＥに関するアクティビティの調整を開始してもよい。例えば、ｅＮＢ  ＲＲＭとＷＬＡＮ  ＲＲＭとは、（残りの接続／ベアラを介して）ＵＥのネットワークトラフィックがＬＴＥからＷＬＡＮにリダイレクトされるべき場合またはその逆の場合に調整を開始してもよい。別の例として、ＵＥが接続中のベアラをＷＬＡＮに有し、ＷＬＡＮ  ＡＰがＬＴＥ／ＷＬＡＮピコセル内に位置することもある。ＬＴＥ  ＲＲＭは、ＵＥに対してキャリアアグリゲーション／デュアルコネクティビティ（ＣＡ（Ｃａｒｒｉｅｒ−Ａｇｇｒｅｇａｔｉｏｎ）／デュアルコネクティビティ）を有効にすること、ひいてはＬＴＥ側での無線リソース割り当てを有効にすることを決定して、ＬＴＥおよびＷＬＡＮ無線双方でのＵＥ動作を調整し始めてもよい。別の例として、ＵＥは、ＬＴＥマクロセルに接続されると同時に、ＷＬＡＮホットスポットに接続されることもある。ＷＬＡＮネットワークは、ＵＥ  ＷＬＡＮアクセスが許可されるべきかまたは拒否されるべきかをＬＴＥマクロセルに確認することができ、マクロｅＮＢは、決定プロセス中に様々な基準を適用してもよい（基準は、例えばユーザプロファイル、サービス品質（ＱｏＳ）プロファイル、および／または負荷に基づいてもよい）。
【０１２５】
ユーザ／ＵＥ識別情報がＩＭＳＩおよび／またはＩＭＥＩを使用して作成されない（且つＭＳＩＳＤＮ、ＳＩＰアドレスなどのような他の任意の固定されたユーザ／ＵＥ特有識別情報を使用して作成されない）場合、識別情報は、何らかの時点で解放および再使用される必要があるかもしれない。識別情報の解放に関して、ＵＥが３ＧＰＰネットワークから切断すると、ＨＳＳは、ユーザ／ＵＥがＷＬＡＮにおいてアクティブであるかどうかを判断するための確認を行ってもよく、ＨＳＳは、ユーザ／ＵＥがアクティブでなければ識別情報を解放してもよい。ＵＥがＷＬＡＮホットスポットから切断すると、課金は停止されてもよく、これはＷＬＡＮ  ＡＰに、例えばＡＡＡサーバへメッセージを送信させる。ＡＡＡサーバは、通知をＨＳＳに送信してもよく、これにより、ＨＳＳは、ＵＥがもはやＷＬＡＮ上でアクティブではないと知ることができる。ユーザ識別情報は、ＵＥが３ＧＰＰまたはＷＬＡＮのいずれかのネットワークにおいて非アクティブになると、またはＵＥが３ＧＰＰおよびＷＬＡＮの両ネットワークにおいて非アクティブになると、解放されてもよい。
【０１２６】
本発明の実施形態によっては、ＨｅｔＮｅｔユーザ／ＵＥ識別情報は一時的なオフロードＩＤに相当してもよい。ＵＥは、３ＧＰＰ  ＲＡＮとの接続確立の間、ＲＡＮにより一時的なオフロードＩＤ（例えばＰＴＩＤなど）を提供されてもよい。任意選択で、ＰＴＩＤ（擬似端末識別子）は、後から、ＵＥが既にＲＡＮに接続されている間に提供されてもよい。ＰＴＩＤは、ＷＬＡＮがＰＴＩＤをＲＡＮオフロードＩＤとして識別できる形で構築されていてもよい。さらにＰＴＩＤは、ＲＡＮルーティング情報（例えば、ｅＮＢ  ＩＤまたは無線ネットワークコントローラ（ＲＮＣ）ＩＤのような、サービングＲＡＮノードアドレスなど）を含んでもよい。
【０１２７】
本発明の実施形態によっては、ＲＡＮオフロード決定を実行するために、ＰＴＩＤが、ＵＥがＷＬＡＮに接続するときのＥＡＰシグナリングにおける外部ユーザ識別情報として使用されてもよい。内部識別情報（例えばＥＡＰ  ＳＩＭ／ＡＫＡ／ＡＫＡ−Ｐｒｉｍｅ識別情報など）は、ＵＥとＡＡＡサーバとの間でのみやり取りされてもよい。外部識別情報は、ＲＡＤＩＵＳメッセージ中のユーザ名（Ｕｓｅｒ−Ｎａｍｅ）属性であってもよい。ＲＡＤＩＵＳメッセージは、ＷＬＡＮ  ＡＰとＡＡＡサーバとの間でやり取りされてもよい。ＵＥは、ＥＡＰメッセージを使用してＡＡＡサーバと通信する。ＵＥは、ＥＡＰメッセージをＷＬＡＮ  ＡＰとやり取りし、ＡＰは、ＥＡＰメッセージをさらにＡＡＡへ、ＲＡＤＩＵＳメッセージ内でＥＡＰＭｅｓｓａｇｅ属性において伝達する。一定の実施形態において、実際には、ＲＡＤＩＵＳユーザ名に対する唯一の要件は、ＲＡＤＩＵＳユーザ名がホームＡＡＡサーバにルーティング可能であることであってもよい。ＲＡＤＩＵＳユーザ名は、適切なレルムを有するべきである。ＡＡＡは、必ずしも、ユーザ名の値を知っているとは限らない（匿名も可能である）が、その場合、ＡＡＡは、ＵＥにＥＡＰ識別情報を明示的にリクエストして、完全なユーザ識別情報を得て（例えばＥＡＰ−ＡＫＡ識別情報のような実際の資格情報を得て）もよい。ＲＡＤＩＵＳユーザ名識別情報は、最初、ＡＰによってＵＥにリクエストされてもよい。このリクエストは、ＵＥにおいてＥＡＰ認証をトリガしてもよい。ＥＡＰ識別情報は、内部ユーザ識別情報であってもよい（ただし、ＥＡＰ識別情報はすべてのＥＡＰメッセージで移送されず、セッションにつき一度のみのこともあり得る）。
【０１２８】
本発明の一定の実施形態において、ＷＬＡＮは、ＰＴＩＤがＲＡＮオフロードＩＤフォーマットに一致することを認識し、ＰＴＩＤからＲＡＮアドレス指定情報を抽出してもよい。
【０１２９】
本発明の実施形態によっては、上述の通り、ＷＬＡＮは、ＲＡＮに連絡して、ＷＬＡＮにトラフィックをオフロードすることの承認がＵＥに出ているかを検証する（ＰＴＩＤに対応するＵＥに出ているかを検証する）。このＷＬＡＮセッションに関係するＷＬＡＮとＲＡＮとの間の任意のさらなる通信は、ＰＴＩＤを利用してもよい。
【０１３０】
本発明の一実施形態では、ＲＡＮによってＷＬＡＮに、オフロードＩＤのセットが提供されてもよい。その結果、ＷＬＡＮは、ＵＥにより提供されたオフロードＩＤを、ＲＡＮにより提供され得るオフロードＩＤのセットに照らして検証してもよい。このオフロードＩＤは、各ＩＤが１回のオフロード許可に該当する、使い切りのトークンとして使用されてもよい。ＷＬＡＮがＩＤ自体を検証できる場合、ＩＤは必ずしもＲＡＮルーティング情報を含む必要はない。
【０１３１】
本発明の一実施形態では、ＵＥのベアラがオフロードされることが許可されるかどうかについてＷＬＡＮがＲＡＮに問い合わせるとき、ＷＬＡＮは、ベアラのアクセスポイント名（ＡＰＮ：Ａｃｃｅｓｓ  Ｐｏｉｎｔ  Ｎａｍｅ）もＲＡＮに提供してもよい。このＡＰＮの提供は、ＲＡＮが、特定のサービスがＲＡＮに保持される必要があるか（サービスは、例えばインターネットプロトコルマルチメディアサブシステム（ＩＭＳ：Ｉｎｔｅｒｎｅｔ−Ｐｒｏｔｏｃｏｌ−Ｍｕｌｔｉｍｅｄｉａ−Ｓｕｂｓｙｓｔｅｍ）呼であるかもしれない）、またはサービスがＷＬＡＮにオフロードされてよいかを判断するのを支援してもよい。よって、本発明の一定の実施形態は、ベアラ別のオフロードをサポートしてもよい。例えばＵＥは、ＩＭＳ呼をＬＴＥに有してもよく、公共安全サービスはＡＰＮに基づきＷＬＡＮにオフロードされてもよい。
【０１３２】
上述の通り、３ＧおよびＬＴＥは、ＲＡＮに、ＲＲＣメッセージを介してＵＥの一時的なユーザＩＤを（ＨｅｔＮｅｔ識別子／識別情報として）割り当てさせてもよい。一時的なユーザＩＤは、ＵＥとＲＡＮとの間のＲＲＣ接続確立の間に、またはユーザ／ＵＥに対してＷＬＡＮとの相互接続が適用されるべきであるとの認識をＲＡＮが確立したときに、割り当てられてもよい。この一時的なユーザＩＤは、上述のＰＴＩＤに相当してもよい。ＰＴＩＤは、擬似乱数に基づいてもよい。ＵＥがＲＡＮ制御のオフロードを実行する場合、ＵＥは、ＵＥとＷＬＡＮ  ＡＰとの初期のＥＡＰ識別情報メッセージ交換において、このＰＴＩＤをユーザ名（外部ユーザ識別情報）として使用するであろう。一時的なユーザＩＤはさらに、ｅＮＢ特有プレフィックス／ポストフィックス／識別子情報なしのＧＵＴＩとすることもできる。
【０１３３】
あるいは、ＲＡＮは、ユーザ名全体のうち（例えばＰＴＩＤ全体のうち）特徴的な部分（例えば端末識別子（ＴＩＤ：Ｔｅｒｍｉｎａｌ  Ｉｄｅｎｔｉｆｉｅｒ）など）のみを提供してもよく、または完全なＰＴＩＤを提供してもよい。ＵＥは、ＴＩＤおよびホーム公衆陸上モバイルネットワーク（ＰＬＭＮ：Ｐｕｂｌｉｃ−ｌａｎｄ−ｍｏｂｉｌｅ−ｎｅｔｗｏｒｋ）に基づき事前定義された定型表現に基づくＰＴＩＤをローカルで作成してもよい。ＰＴＩＤは、ＴＩＤ、および例えば定型表現：７＜ＴＩＤ＞＠＜３ＧＰＰＲＥＡＬＭ＞に基づいてもよい。ＥＡＰ−ＳＩＭ／ＡＫＡ／ＡＫＡ−ＰＲＩＭＥ識別情報は０〜６の先頭ディジットを使用するので、「７」は、そうした他の識別情報からこの識別情報を区別するために追加されてもよい。＜３ＧＰＰＲＥＡＬＭ＞は、ＥＡＰ−ＳＩＭ／ＡＫＡにおいて使用されるのと同じレルム（ｗｌａｎ．ｍｎｃ＜ＭＮＣ＞．ｍｃｃ＜ＭＣＣ＞．３ｇｐｐｎｅｔｗｏｒｋ．ｏｒｇ）か、または（ｏｆｆｌｏａｄ．ｍｎｃ＜ＭＮＣ＞．ｍｃｃ＜ＭＣＣ＞．３ｇｐｐｎｅｔｗｏｒｋ．ｏｒｇのような）専用ＲＡＮオフロードレルムのいずれかである。いずれの選択肢も、ＷＬＡＮがユーザ名をＲＡＮオフロード識別情報として識別することを可能にする。使用されるレルムは、（例えばホーム公衆陸上モバイルネットワーク（ＨＰＬＭＮ：Ｈｏｍｅ−Ｐｕｂｌｉｃ−Ｌａｎｄ−Ｍｏｂｉｌｅ−Ｎｅｔｗｏｒｋ）などの）ホームオペレータを識別できる必要があるかもしれない。ホームオペレータは、ＷＬＡＮ認証メッセージをホームＡＡＡサーバにルーティングするために使用されてもよい。
【０１３４】
ＴＩＤコンポーネントは、ＷＬＡＮがオフロード承認確認のプロセスを実行するときに適切なＲＡＮノードにＷＬＡＮがアクセスするのを支援する、ＲＡＮアドレス指定情報をも備えてもよい。ＲＡＮアドレス指定情報は、例えば、擬似ランダムサブコンポーネントとＲＡＮアドレス指定情報との間の特殊な分離記号などの任意数の手段を備える構造の中の一部であってもよい。擬似ランダムコンポーネントは、擬似ランダムコンポーネントの偽造を防止するのに十分な長さでなければならない。ＲＡＮアドレス指定情報は、ｅＮＢ  ＩＤのような何らかのＲＲＣ識別子コンポーネント、または無線ネットワークコントローラ（ＲＮＣ）ＩＤ、またはその他何らかのセル識別子の派生物、またはさらにはドメイン名システム（ＤＮＳ：Ｄｏｍａｉｎ−Ｎａｍｅ−Ｓｙｓｔｅｍ）解決のためのドメインＩＤ、またはＩＰアドレスを直接、含んでもよい。このＲＲＣ識別子コンポーネントは、割り当てを行うエンティティの識別を可能にしてもよく、さらに、割り当てを行うエンティティをＷＬＡＮからアドレス指定するのを支援してもよい。
【０１３５】
本発明の実施形態によっては、ＵＥは、ＰＴＩＤ（例えばＭＳＩＳＤＮ、ＳＩＰアドレス、ＵＥ特有の詳細を備える乱数）を構築して、その識別子をＲＡＮおよびＷＬＡＮの双方に、それらネットワークとアソシエート／接続されると提供する。ＰＴＩＤは、（認証の一環として使用される）一意のユーザ識別情報のコンポーネントを含んでもよく（またはそれと同じであってもよく）、ＧＵＴＩのコンポーネントを含んでもよく、または例えばランダム化されてもよい。
【０１３６】
図２（ａ）は、本発明の実施例となりうる、擬似端末識別子（ＰＴＩＤ）内への無線アクセスネットワーク（ＲＡＮ）情報の組み入れを示す。ＷＬＡＮアソシエーションが形成された後、オフロードリクエストあり／ｏｋメッセージが送信されてもよく、それからＥＡＰ認証が開始する。本発明の実施形態によっては、ＲＡＮ２００がオフロードを命令すれば、ＵＥ２０１は、ＷＬＡＮ２０２にアクセスするための識別情報として（ＲＡＮ２００により提供された）ＰＴＩＤを使用する。ＷＬＡＮ２０２にアクセスするためにＰＴＩＤを使用することは、ＰＴＩＤを外部ユーザ識別情報として使用することとして説明され得る。ＷＬＡＮ２０２は、ＰＴＩＤからＲＡＮ情報を推定することになり、ＷＬＡＮ２０２は、リクエストが真正であり、したがって承認されるかどうかを（ＲＡＮ２００に）確認してもよい。さらにＷＬＡＮ２０２は、ＵＥのベアラのＡＰＮ情報をＲＡＮ２００に提供してもよく、これによりＲＡＮ２００は、ベアラオフロードを許可するかどうか、またはサービスをＲＡＮ２００に保持するかどうかを決定することができる。３ＧＰＰは、現在、ＧＴＰを介するＳ２ａモビリティ（ＳＡＭＯＧ：Ｓ２ａ−Ｍｏｂｉｌｉｔｙ−ｕｓｉｎｇ−ＧＴＰ）の使用を規定しているところであり、これによりＵＥ２０１は、新たなＷＬＡＮ制御プロトコル（ＷＬＣＰ：ＷＬＡＮ−Ｃｏｎｔｒｏｌ−Ｐｒｏｔｏｃｏｌ）を使用してＡＰＮをＷＬＡＮ２０２に送付できるようになる。アクセスポイント名（ＡＰＮ）特有のＲＡＮオフロード決定の妥当性確認は、ＡＰＮがＷＬＡＮ２０２に既知となり次第、ＷＬＡＮ制御プロトコル（ＷＬＣＰ）接続のセットアップ中にもなされ得る。あるいは、ＡＰＮ情報は、ＵＥ２０１によりＡＰＮ情報をＰＴＩＤ内に組み込むことによりＷＬＡＮ２０２に送信されてもよい。
【０１３７】
本発明の実施形態によっては、次に、ＵＥからの認証リクエストが、識別情報において使用されているレルムに基づいてＡＡＡサーバに転送される。ＡＡＡは、このＰＴＩＤを知らないかもしれないが、ＡＡＡは、ＵＥに、正式なＥＡＰ−ＳＩＭ／ＡＫＡ識別情報を明示的に問い合わせてもよい。ＡＡＡは、ＥＡＰ識別情報リクエストメッセージを使用して識別情報を問い合わせてもよい（そのような問い合わせは、匿名識別が使用されているときの現行標準に基づく）。そのような問い合わせは、ＡＡＡが適切にユーザを認証できるようにする。ＷＬＡＮ  ＡＰは、すべてのＡＡＡ通信において、外部ユーザ識別情報としてＲａｄｉｕｓメッセージ中に元のＰＴＩＤを使用し続けてもよい。実施形態によっては、ＩＭＳＩは、通信のいずれのパーティにも明かされない可能性もあり、さらにＩＭＳＩは、いずれのパーティにも必要とされないかもしれない。ＲＡＮおよびＷＬＡＮネットワークは、このＰＴＩＤ識別情報をＵＥ識別として使用して通信してもよい。
【０１３８】
本発明の一定の実施形態は、オペレータがＲＡＮオフロード試行を明示的に承認して不正なＷＬＡＮ使用を防止できるようにしてもよい。ＵＥは、ＲＡＮオフロード用に保留されたオペレータＷＬＡＮを手動選択できなくてもよい。ＰＴＩＤが使用されているとき、オペレータＷＬＡＮネットワークは、そのアクセスがＲＡＮによって本当に承認されているか否かをＲＡＮに確認してもよい。
【０１３９】
本発明の一定の実施形態は、オペレータがＰＴＩＤに基づきＲＡＮオフロードの使用を識別できるので、オペレータがＷＬＡＮ使用に対してＲＡＮオフロード特有の課金モデルを適用することを可能にしてもよい。ＵＥが通常のＥＡＰ−ＳＩＭ／ＡＫＡ識別情報を使用してＷＬＡＮに入れば、オペレータは、この識別情報を識別して、そのアクセスに対し別の課金モデルを使用してもよい。ＲＡＮオフロードは、ＲＡＮがオフロードを命令するのであるから、おそらくユーザには無償であろう。本発明の一定の実施形態は、既存のＷＬＡＮ仕様に適合し得る。ＷＬＡＮ無線インターフェースは、本発明の実施形態を使用するために全く変更の必要がないかもしれない。ＷＬＡＮ無線インターフェースは、新たな３ＧＰＰインターフェースも必要としないかもしれない。展開方式によっては、ＷＬＡＮ無線インターフェースは、ＰＴＩＤまたはその他の形式のオフロードユーザ識別子を送付するため、および承認確認のためＲＡＮとＷＬＡＮとをインターフェースで接続するために、単に、新たな追加属性を必要とするか、またはＲＲＣメッセージングにシグナリングを提供するかもしれない。ＡＮＲが展開されるか、またはＰＴＩＤオフロード識別子が他の手段でＷＬＡＮに事前配布されていれば、（ＷＬＡＮは有効なＰＴＩＤを認識でき得るので）インターフェースは回避され得る。一実施形態において、ＰＴＩＤ識別子は、好適には一回限り使用されてもよく、または短寿命識別子として使用されてもよい。
【０１４０】
ＩＭＳＩは、この手順のいずれの時点においても必要とされないかもしれない。ＰＴＩＤのＲＡＮ情報コンポーネントが、ＷＬＡＮコントローラが適切なＲＡＮを発見できるようにしてもよい。
【０１４１】
本発明の実施形態を使用するときの困難として１つ考えられるのは、サービス妨害（ＤｏＳ：Ｄｅｎｉａｌ−ｏｆ−Ｓｅｒｖｉｃｅ）攻撃の取り扱いに関するものである。そのような攻撃の間、ＵＥは、ＲＡＮ／ＷＬＡＮインターフェースに過負荷をかけるために偽の７＜ＰＴＩＤ＞＠＜３ＧＰＰＲＥＡＬＭ＞識別情報を生成し得る。本発明の実施形態によれば、ＷＬＡＮは、ＲＡＮ承認の失敗を理由に、ＵＥ  ＭＡＣをブラックリストに載せてもよい。よって、ＤｏＳの取り扱いは、本発明の実施形態には問題でないかもしれない。
【０１４２】
従前の手法によれば、明確なアクセスネットワーク発見・選択機能（ＡＮＤＳＦ：Ａｃｃｅｓｓ−Ｎｅｔｗｏｒｋ−Ｄｉｓｃｏｖｅｒｙ−ａｎｄ−Ｓｅｌｅｃｔｉｏｎ−Ｆｕｎｃｔｉｏｎ）課金モデルは存在しない。課金モデルは、無料であってもよく、またはＷＬＡＮ使用に関連する費用があってもよい。従前の手法によれば、手動ＷＬＡＮアクセスと、ＡＮＤＳＦコントローラＷＬＡＮアクセスとを区別する優れた方法は一般になく、そのような方法の欠如は、課金の観点から問題となり得る。課金するエンティティは、ＡＮＤＳＦ契約に基づきいつＷＬＡＮアクセスが課金されるのか、または他の何らかの契約に基づきＷＬＡＮアクセスが課金されるかどうか、またはアクセスが完全に拒否されるべきかどうかを判断するために、ＵＥ  ＡＮＤＳＦポリシーを知る必要があるかもしれない。
【０１４３】
ｅＮＢによるＰＴＩＤのＵＥへの配布は、「オフロードクレジット」と解釈されてもよい。ＷＬＡＮは、ＵＥがＰＴＩＤを所有しているという事実のみに基づいて、ＵＥがオフロードしてよいものとみなしてもよい。なお、ＵＥのオフロードクレジットは、オフロードが適切かどうかに関してＷＬＡＮがさらにｅＮＢに確認することを、必ずしも排除するものではない。
【０１４４】
本発明の実施形態によっては、ＲＡＮノードに対してＰＴＩＤを割り当てる新たなネットワークエンティティがあってもよい。このエンティティは、ＲＡＮオフロードのためのＷＬＡＮアクセスを承認するためにＷＬＡＮにより使用されてもよい。このエンティティを使用すると、ＷＬＡＮが３ＧＰＰに対して単一の接続のみを必要とし得るため、承認確認に関するセキュリティの問題が単純化され得る。すべてのシナリオにおいて、ＷＬＡＮは、使用されるＰＴＩＤの妥当性を確認して、ＰＴＩＤの不正な使用を予防することができるべきである。ＰＴＩＤは、満了タイマに関連してもよい。タイマは、経時的なネットワークトラフィックの変動、またはＲＡＮカバレッジにおけるＵＥの平均在圏時間に関する値を有してもよい。
【０１４５】
さらに、ＰＴＩＤは、ＲＡＮとＡＣとの間の専用シグナリングにより「満了」とマークされてもよい。
【０１４６】
図２（ｂ）は、本発明の別の実施形態による、ＰＴＩＤ内へのＲＡＮ情報の組み入れを示す。図２（ｂ）は、オフロードの妥当性確認が、ＷＬＡＮおよびＲＡＮの識別情報および位置を認識し得る（ＲＡＮ／ＷＬＡＮマネージャ２８２などの）別のエンティティにより実行される選択肢を示す。図２（ｂ）は、ＷＬＡＮとＲＡＮとの間のオフロードメッセージをルーティングする新たなエンティティであるＲＡＮ／ＷＬＡＮマネージャ２８２を示す。すべてのＷＬＡＮおよびＲＡＮノードにおいて一貫したネットワークマッピングを維持することは、実用的でないかもしれない。ＷＬＡＮ／ＲＡＮマネージャ２８２のような仲介ノードは、より容易に維持されることも、ＷＬＡＮおよびＲＡＮ構成に容易に追加されることもあり得る。ネットワークトポロジの変更時は、ブロークンのみの変更が必要と思われる。
【０１４７】
本発明の実施形態によっては、例えばアクセスコントローラ（ＡＣ：Ａｃｃｅｓｓ  Ｃｏｎｔｒｏｌｌｅｒ）などの１つのエージェント、またはＲＡＮ、または中間エージェントが、トークンのリストを配布してもよい。その結果、ＡＣ（またはＷＬＣまたはＷＬＡＮノード）は、図３に示されているように、オフロード試行の迅速な検証を実行し得る。ＡＣ（またはＷＬＣまたはＡＰ）は、ＵＥから受信するワンタイムトークンを、それ以前にＲＡＮから受信したワンタイムトークンのリストに照らして確認することにより、迅速な検証を実行してもよい。ＵＥが有効なトークンを所有しているという理由に基づき、ＡＣ（またはＷＬＣまたはＡＰ）は、オフロードは承諾済みとみなして、図３のステップ「オフロードリクエストあり」をスキップしてもよい。この動作は、ＲＡＮがＡＮＲを確立したとき、すなわち、どのＡＰがどのｅＮＢのフルカバレッジ下にあるかが既知であるときに簡単になる。一方、ＡＮＲ非対応ネットワークでは、より大きなワンタイムトークンリストと、それらの効率の悪い使用とが必要になり得るとも考えられる。
【０１４８】
図３は、ＲＡＮがなおオフロードリクエストの承諾をする場合の、事前配布されたワンタイムトークンの使用を示す。
【０１４９】
図４は、本発明の一定の実施形態による方法の論理フロー図を示す。図４に示される方法は、４１０にて、第１のネットワークのネットワークノードにより、第１のネットワークおよび第２のネットワークに対して有効なネットワーク識別情報を決定することを含んでもよい。本方法はさらに、４２０にて、ネットワーク識別情報をユーザ機器に割り当てることを含んでもよい。本方法はさらに、４３０にて、第２のネットワークの少なくとも１つのノードとユーザ機器とにネットワーク識別情報を提供することを含んでもよい。第１のネットワークと第２のネットワークとは、異なる技術に基づいてもよい。
【０１５０】
図５は、本発明の一定の実施形態による方法の論理フロー図を示す。図５に示される方法は、５１０にて、割り当てられたネットワーク識別情報をユーザ機器により受信することを含んでもよい。ネットワーク識別情報は、第１のネットワークから発信され、第１のネットワークおよび第２のネットワークに対して有効である。そのような識別情報の存在は、オフロード決定のための前提条件であってもよく、またはトリガでさえあってもよい。ＲＡＮが、デバイスのオフロードが期待されるときにのみ識別子を提供するのであれば、決定はＲＡＮにより下される。オフロード自体は、ＵＥにおいて発生し、異なる多数の要因の影響を受け得る。第１のネットワークと第２のネットワークとは、異なる技術に基づいてもよい。本方法はさらに、５２０にて、ユーザ機器によりネットワーク識別情報を第２のネットワークに提供することを含んでもよい。
【０１５１】
図６は、本発明の一定の実施形態による方法の論理フロー図を示す。図６に示される方法は、６１０にて、ネットワーク識別情報をネットワークノードにより受信することを含んでもよい。ユーザ機器は、第１のネットワークとアソシエートしている。ネットワークノードは、第２のネットワークのノードに該当する。前記ネットワーク識別情報は、第１のネットワークおよび第２のネットワークに対して有効である。第１のネットワークと第２のネットワークとは、異なる技術に基づいてもよい。本方法はさらに、６２０にて、ユーザ機器が第１のネットワークから第２のネットワークにトラフィックをオフロードすることを承認されているかどうかを判断することを含む。
【０１５２】
図７は、一実施形態による装置を示す。装置７００は、第１のネットワークおよび第２のネットワークに対して有効なネットワーク識別情報を決定する決定ユニット７１０を備えてもよい。装置７００はさらに、ネットワーク識別情報をユーザ機器に割り当てる割り当てユニット７２０を備えてもよい。装置７００はさらに、第２のネットワークの少なくとも１つのノードとユーザ機器とにネットワーク識別情報を提供する提供ユニット７３０を備えてもよい。第１のネットワークと第２のネットワークとは、異なる技術に基づいてもよい。
【０１５３】
図８は、一実施形態による装置を示す。装置８００は、割り当てられたネットワーク識別情報を受信する受信ユニット８１０を備えてもよい。ネットワーク識別情報は、第１のネットワークから発信され、第１のネットワークおよび第２のネットワークに対して有効である。第１のネットワークと第２のネットワークとは、異なる技術に基づいてもよい。装置８００はさらに、ネットワーク識別情報を第２のネットワークに提供する提供ユニット８２０を備えてもよい。
【０１５４】
図９は、一実施形態による装置を示す。装置９００は、ネットワーク識別情報を受信する受信ユニット９１０を備えてもよい。ユーザ機器は第１のネットワークとアソシエートしており、装置９００は第２のネットワークのノードに該当する。前記ネットワーク識別情報は、第１のネットワークおよび第２のネットワークに対して有効である。第１のネットワークと第２のネットワークとは、異なる技術に基づいてもよい。装置９００はさらに、ユーザ機器が第１のネットワークから第２のネットワークにトラフィックをオフロードすることを承認されているかどうかを判断する判断ユニット９２０を備えてもよい。
【０１５５】
図１０は、一実施形態による装置を示す。異種識別情報は、ＨＳＳ／ＡＡＡなどの他のエンティティにより割り当てられることもあり得る。この場合、異種識別情報は、ＲＡＮ／コアネットワークインターフェースにおける既存の無線アクセスベアラ（ＲＡＢ：Ｒａｄｉｏ−Ａｃｃｅｓｓ  Ｂｅａｒｅｒ）管理メッセージに対する拡張として、ＲＡＮに提供されてもよい。同じ識別情報が、ＲＡＤＩＵＳメッセージングの中で、ＷＬＡＮ認証フェーズの間にＷＬＡＮに提供されてもよい。この識別情報は、ＲＡＮが、ＲＡＮ  ＵＥリソースステータスリクエスト／オフロードリクエストメッセージをＲＡＮ側のユーザに関連付けできるように、ＷＬＡＮとＲＡＮとの間でやり取りされてもよい。装置１０００は、第１のネットワークおよび第２のネットワークに対して有効なネットワーク識別情報を決定する決定手段１０１０を備えてもよい。装置１０００はさらに、ネットワーク識別情報をユーザ機器に割り当てる割り当て手段１０２０を備えてもよい。装置１０００はさらに、第２のネットワークの少なくとも１つのノードとユーザ機器とにネットワーク識別情報を提供する提供手段１０３０を備えてもよい。第１のネットワークと第２のネットワークとは、異なる技術に基づいてもよい。
【０１５６】
図１１は、一実施形態による装置を示す。装置１１００は、割り当てられたネットワーク識別情報を受信する受信手段１１１０を備えてもよい。ネットワーク識別情報は、第１のネットワークから発信され、第１のネットワークおよび第２のネットワークに対して有効である。第１のネットワークと第２のネットワークとは、異なる技術に基づいてもよい。装置１１００はさらに、ネットワーク識別情報を第２のネットワークに提供する提供手段１１２０を備えてもよい。
【０１５７】
図１２は、一実施形態による装置を示す。実施形態によっては、装置１２００はＷＬＡＮノードであってもよい。なお、他の実施形態では、装置１２００は例えば、ＡＡＡプロキシまたはＡＡＡであってもよい。装置１２００は、ネットワーク識別情報を受信する受信手段１２１０を備えてもよい。ユーザ機器は、第１のネットワークとアソシエートしている。装置１２００は、第２のネットワークのノードに該当する。前記ネットワーク識別情報は、第１のネットワークおよび第２のネットワークに対して有効である。第１のネットワークと第２のネットワークとは、異なる技術に基づいてもよい。装置１２００はさらに、ユーザ機器が第１のネットワークから第２のネットワークにトラフィックをオフロードすることを承認されているかどうかを判断する判断手段１２２０を備えてもよい。
【０１５８】
図１３は、一実施形態によるシステムを示す。システム１３５０は、第１の装置１３００を備えてもよい。第１の装置１３００は、第１のネットワークおよび第２のネットワークに対して有効なネットワーク識別情報を決定する第１の決定手段１３０１を備えてもよい。第１の装置１３００はさらに、ネットワーク識別情報を第２の装置に割り当てる割り当て手段１３０２を備えてもよい。第１の装置１３００はさらに、第２のネットワークの少なくとも１つのノードと第２の装置とにネットワーク識別情報を提供する第１の提供手段１３０３を備えてもよい。第１のネットワークと第２のネットワークとは、異なる技術に基づいてもよい。システム１３５０はさらに、第２の装置１３１０を備えてもよい。第２の装置１３１０は、割り当てられたネットワーク識別情報を受信する第１の受信手段１３１１を備えてもよい。ネットワーク識別情報は、第１のネットワークから発信される。第２の装置１３１０はさらに、ネットワーク識別情報を第２のネットワークに提供する第２の提供手段１３１３を備えてもよい。システム１３５０はさらに、ネットワーク識別情報を受信する第２の受信手段１３２１を備える第３の装置１３２０を備えてもよい。第２の装置１３１０は第１のネットワークとアソシエートしており、第３の装置１３２０は第２のネットワークのノードに該当する。
【０１５９】
図１４は、本発明の実施例となりうる装置１０を示す。装置１０は、例えばＵＥなどのデバイスであってもよい。他の実施形態では、装置１０は、基地局、アクセスポイント、および／または例えばＷＬＡＮまたはＲＡＮ内のその他任意のネットワークノードであってもよい。装置１０はさらに、例えば、トレース収集エンティティの機能を実行するネットワークノードを備えてもよい。
【０１６０】
装置１０は、情報を処理して命令または動作を実行するプロセッサ２２を備えてもよい。プロセッサ２２は、任意のタイプの汎用または専用プロセッサとしてよい。図１４には単一のプロセッサ２２が示されているが、他の実施形態によれば、複数のプロセッサが利用されてもよい。プロセッサ２２はさらに、例として、汎用コンピュータ、専用コンピュータ、マイクロプロセッサ、デジタル信号プロセッサ（ＤＳＰ：ｄｉｇｉｔａｌ  ｓｉｇｎａｌ  ｐｒｏｃｅｓｓｏｒ）、フィールドプログラマブルゲートアレイ（ＦＰＧＡ：ｆｉｅｌｄ−ｐｒｏｇｒａｍｍａｂｌｅ  ｇａｔｅ  ａｒｒａｙ）、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、およびマルチコアプロセッサアーキテクチャに基づくプロセッサのうちの１つ以上を備えてもよい。
【０１６１】
装置１０は、情報とプロセッサ２２によって実行され得る命令とを記憶し、プロセッサ２２に結合されたメモリ１４をさらに備えてもよい。メモリ１４は、１つ以上のメモリであってもよく、ローカルアプリケーション環境に適した任意のタイプのものであってもよく、半導体ベースのメモリデバイス、磁気メモリデバイスおよびシステム、光学メモリデバイスおよびシステム、固定メモリ、取り外し可能メモリなどの、任意の適切な揮発性または不揮発性データストレージ技術を使用して実装されてもよい。例えば、メモリ１４は、ランダムアクセスメモリ（ＲＡＭ：ｒａｎｄｏｍ  ａｃｃｅｓｓ  ｍｅｍｏｒｙ）、読み取り専用メモリ（ＲＯＭ：ｒｅａｄ  ｏｎｌｙ  ｍｅｍｏｒｙ）、磁気もしくは光学ディスクなどのスタティックストレージ、またはその他任意のタイプの非一時的機械もしくはコンピュータ可読媒体の、任意の組み合わせから成ってもよい。メモリ１４に記憶された命令は、プロセッサ２２によって実行されると本願明細書に記載のタスクを装置１０が実行できるようにするプログラム命令またはコンピュータプログラムコードを備えてもよい。
【０１６２】
装置１０はさらに、装置１０へ、および装置１０からの信号および／またはデータの送信および受信のための１つ以上のアンテナ（図示せず）を備えてもよい。装置１０は、アンテナ（単数または複数）による送信のために情報をキャリア波形上に変調し、アンテナ（単数または複数）を介して受信された情報を装置１０の他の構成要素によるさらなる処理のために復調する、送受信機２８をさらに備えてもよい。他の実施形態では、送受信機２８は、信号またはデータを直接送受信できてもよい。
【０１６３】
プロセッサ２２は、アンテナ利得／位相パラメータのプリコーディング、通信メッセージを構成する個々のビットの符号化および復号、情報のフォーマッティング、および通信リソースの管理に関するプロセスを含む装置１０の全般的な制御を含むがこれらに限定はされない、装置１０の動作に関連する機能を実行してもよい。
【０１６４】
実施形態によっては、メモリ１４は、プロセッサ２２により実行されると機能性を提供するソフトウェアモジュールを記憶する。モジュールは、装置１０に対してオペレーティングシステムの機能性を提供するオペレーティングシステム１５を備えてもよい。メモリはさらに、装置１０のための追加の機能性を提供する、アプリケーションまたはプログラムなどの１つ以上の機能モジュール１８を記憶してもよい。装置１０のコンポーネントは、ハードウェアに実装されてもよく、またはハードウェアとソフトウェアとの任意の適切な組み合わせとして実装されてもよい。
【０１６５】
本発明の記載された特徴、利点、および特性は、１つ以上の実施形態において任意の適切な形で組み合わされてもよい。当業者には当然のことながら、本発明は、特定の実施形態の特定の特徴または利点の１つ以上を伴わずに実践され得る。他の場合には、本発明の全ての実施形態には存在しないかもしれない追加の特徴および利点が、一定の実施形態において認識され得る。当業者には当然のことながら、上述した本発明は、異なる順序のステップにより、および／または開示されているものとは異なる構成のハードウェア構成要素を用いて、実践されてもよい。したがって、本発明はこれら好適な実施形態に基づいて記載されたが、当業者には当然のことながら、本発明の意図および範囲内にとどまりつつも、一定の変更、変形、および代わりの構成が明らかとなるであろう。
【図１（ａ）】
0006564022.tif 000002
【図１（ｂ）】
0006564022.tif 000003
【図１（ｃ）】
0006564022.tif 000004
【図２（ａ）】
0006564022.tif 000005
【図２（ｂ）】
0006564022.tif 000006
【図３】
0006564022.tif 000007
【図４】
0006564022.tif 000008
【図５】
0006564022.tif 000009
【図６】
0006564022.tif 000010
【図７】
0006564022.tif 000011
【図８】
0006564022.tif 000012
【図９】
0006564022.tif 000013
【図１０】
0006564022.tif 000014
【図１１】
0006564022.tif 000015
【図１２】
0006564022.tif 000016
【図１３】
0006564022.tif 000017
【図１４】
0006564022.tif 000018